(57)【要約】【課題】  固定部に対してボーデンケーブルのアウターチューブを容易に取り付け、取り外しできるとともに、不測に外れることもなく、部品点数が少なくコスト上も有利なボーデンケーブル保持構造を提供する。【解決手段】  アウターチューブ２の端部３を挿入可能なチューブ挿入孔１１を有するとともに固定部４に取り付け可能な筒体５と、前記端部３の外周面に形成された周溝６と、前記筒体５側から前記周溝６に係入するロック部材７を備え、該ロック部材７の一部１８が前記筒体５の外部に露出しており、前記一部１８を外側から操作することで前記ロック部材７を前記周溝６から離脱させることができる。【選択図】    図３
2008223886.tif 000002
【特許請求の範囲】
【請求項１】
ボーデンケーブル（１）のアウターチューブ（２）の端部（３）を固定部（４）に対して保持させるためのボーデンケーブル保持構造（１０）であって、前記端部（３）を挿入可能なチューブ挿入孔（１１）を有するとともに前記固定部（４）に取り付け可能な筒体（５，２４，２８）と、前記端部（３）の外周面に形成された周溝（６）と、前記筒体（５，２４，２８）側から前記周溝（６）に係入するロック部材（７，２３，３０）を備え、該ロック部材（７，２３，３０）の一部（１８，２７，３１）が前記筒体（５，２４，２８）の外部に露出しており、前記一部（１８，２７，３１）を外側から操作することで前記ロック部材（７，２３，３０）を前記周溝（６）から離脱させることができる、ボーデンケーブル保持構造。
【請求項２】
前記端部（３）が、可撓性チューブ（１６）と、該可撓性チューブ（１６）の外周に嵌挿される筒状金具を備え、前記周溝が、前記筒状金具を前記可撓性チューブ（１６）に固定するための加圧により形成された周溝である、請求項１に記載のボーデンケーブル保持構造。
【請求項３】
前記アウターチューブ（２）が、可撓性チューブ（１６）と、該可撓性チューブ（１６）に接続されて前記端部（３）を構成する剛性チューブ（１７）を備え、該剛性チューブ（１７）が、前記チューブ挿入孔（１１）への非挿入部分に屈曲部（２２）を備えている、請求項１に記載のボーデンケーブル保持構造。
【請求項４】
前記ロック部材がスプリングクリップ（７，２３）であり、前記筒体（５，２４）が、前記スプリングクリップ（７，２３）を受け入れ可能なスリット（２１，２５）を備え、前記スプリングクリップ（７，２３）が、弾性により前記スリット（２１，２５）を通過して前記周溝（６）に係入したロック状態から解除操作自在である、請求項１，２又は３に記載のボーデンケーブル保持構造。
【発明の詳細な説明】
【技術分野】
【０００１】
本発明は、ボーデンケーブルのアウターチューブの端部を固定部に対して離脱不能に保持させるためのボーデンケーブル保持構造に関する。
【背景技術】
【０００２】
刈払機やヘッジトリマー等の携帯式動力作業機においては、動力源としての小型の内燃エンジンの出力を作業者が手元の操作部から遠隔的に制御できるように、ボーデンケーブルが使用される。該ボーデンケーブルは、気化器のスロットルバルブと前記操作部との間に引き回される。
【０００３】
従来、前記ボーデンケーブルのアウターチューブを前記気化器側へ固定する方法として、特許文献１の従来技術の項にも記載されているように、固定部となる気化器側ブラケットのアウターチューブ受け部に前記アウターチューブの端部を差し込む方法や、前記アウターチューブの端部に雄ねじを形成し、この雄ねじを前記アウターチューブ受け部に形成したねじ孔にねじ込む方法等が知られている。
【０００４】
また、特許文献１では、ボーデンケーブルのアウタの端部を嵌挿されて受ける中空筒状のアウタ受け部と、該アウタ受け部内に挿入され前記アウタの反挿入方向への移動に対して該アウタに喰い込む爪部を有する係止具と、前記アウタを貫挿されると共に端縁で前記係止具の前記爪部を拡開可能な係止解除具を備えたボーデンケーブル保持装置が提案されている。
【特許文献１】実開平５−９２５３０号公報
【発明の開示】
【発明が解決しようとする課題】
【０００５】
しかし、前記特許文献１の０００３段落にも記載されているように、前記差し込み式の固定方法には、前記アウターチューブ受け部から前記アウターチューブが外れやすい欠点がある。特に、前記の如き作業機においては、携帯での使用中に枝や蔓などが前記アウターチューブに引っ掛かりやすいので、前記アウターチューブは前記アウターチューブ受け部に対してしっかりと固定されていることを要する。
【０００６】
また、前記ねじ込み式の固定方法には、外れやすいという問題はないものの、取り付け、取り外し作業が煩雑となる等の問題がある。
【０００７】
さらに、前記特許文献１の前記保持装置には、前記係止具と前記係止解除具を要するために部品点数が多く、コスト上も不利である等の問題がある。
【０００８】
本発明は、前記の如き事情を背景としてなされたもので、固定部に対してボーデンケーブルのアウターチューブを容易に取り付け、取り外しできるとともに、不測に外れることもなく、部品点数が少なくコスト上も有利なボーデンケーブル保持構造を提供しようとするものである。
【課題を解決するための手段】
【０００９】
前記課題を解決するため、本発明に係るボーデンケーブル保持構造は、ボーデンケーブルのアウターチューブの端部を固定部に対して保持させるためのボーデンケーブル保持構造であって、前記端部を挿入可能なチューブ挿入孔を有するとともに前記固定部に取り付け可能な筒体と、前記端部の外周面に形成された周溝と、前記筒体側から前記周溝に係入するロック部材を備え、該ロック部材の一部が前記筒体の外部に露出しており、前記一部を外側から操作することで前記ロック部材を前記周溝から離脱させることができるようにされたものである（請求項１）。
【００１０】
本発明において、前記筒体は前記固定部に取り付けられる。前記筒体の前記チューブ挿入孔には、前記アウターチューブの端部が挿入される。そして、前記ロック部材を用いて、前記アウターチューブの端部が前記筒体に対して固定される。固定状態において、前記ロック部材が前記端部の前記周溝に係入しているので、前記筒体からの前記端部の抜け出しが阻止される。
【００１１】
また、前記周溝に係入した前記ロック部材は、前記筒体の回動操作を妨げないので、前記筒体の前記固定部に対する取り付け方式を、前記筒体の外周面に設けたねじ溝と前記固定部に設けたねじ孔のねじ結合方式とすることにより、前記筒体を前記固定部に対して進退させて、保持されたアウターチューブの位置を細かく確実に調整できる。
【００１２】
本発明によれば、前記固定部に取り付けた前記筒体に前記アウターチューブの端部を挿入して前記ロック部材でロックするだけでよいので、前記固定部に対する前記アウターチューブの端部の取り付けが容易に行える。また、前記ロック部材の一部が前記筒体の外部に露出しており、前記一部を外側から操作して前記周溝から離脱させれば、前記筒体から前記アウターチューブが取り外せるので、取り外しも容易である。さらに、前記特許文献１の保持装置で必要とされている係止解除具は不要であり、部品点数が少なく、コスト上も有利となる。
【００１３】
なお、取り付けの順序として、前記筒体と前記アウターチューブとを予め互いに結合させ、その後、前記筒体を前記固定部へ取り付けても良い。
【００１４】
好適な実施の一形態として、前記端部が、可撓性チューブと、該可撓性チューブの外周に嵌挿される筒状金具を備え、前記周溝が、前記筒状金具を前記可撓性チューブに固定するための加圧により形成された周溝である態様とすることもできる（請求項２）。この場合、前記周溝をわざわざ形成する手間が省けるので、製造も容易となり好適である。
【００１５】
好適な実施の一形態として、前記アウターチューブが、可撓性チューブと、該可撓性チューブに接続されて前記端部を構成する剛性チューブを備え、該剛性チューブが、前記チューブ挿入孔への非挿入部分に屈曲部を備えた態様とすることもできる（請求項３）。この場合、前記剛性チューブの前記可撓性チューブ側の部位に物が当たる等、該剛性チューブにそれと交差する方向の外力が作用した場合に、前記筒体内で前記剛性チューブが回動して負荷が逃がされ易い。このため、破損が防止されて好適である。
【００１６】
好適な実施の一形態として、前記ロック部材がスプリングクリップであり、前記筒体が、前記スプリングクリップを受け入れ可能なスリットを備え、前記スプリングクリップが、弾性により前記スリットを通過して前記周溝に係合したロック状態から解除操作自在である態様とすることもできる（請求項４）。この場合、前記筒体に対する前記アウターチューブの端部の結合操作及び分離操作を、前記スプリングクリップの弾性を利用して容易に行うことができて、好適である。
【発明を実施するための最良の形態】
【００１７】
以下、添付図面を参照して、本発明の実施の一形態について説明する。
【００１８】
図１は、本発明の実施の一形態に係るボーデンケーブル保持構造の側面図、図２は、図１の縦断面図、図３は、図１のＩＩ−ＩＩ矢視断面図、図４は、他の実施の形態を示す、図３に対応する断面図、図５は、さらに他の実施の形態を示す、図２に対応する縦断面図である。
【００１９】
図１及び図２に示すように、本発明の実施の一形態に係るボーデンケーブル保持構造１０は、ボーデンケーブル１のアウターチューブ２の端部３を固定部４に対して保持させるための構造である。本実施の形態に係る保持構造１０は、特に、刈払機やヘッジトリマー等の携帯式動力作業機について適用すると好適である。この場合、前記ボーデンケーブル１は、前記作業機に動力源として搭載される小型空冷二サイクルガソリンエンジン等の内燃エンジンの気化器と、前記内燃エンジンの出力操作部材としてのスロットルレバーと、の間に配設され、作業者による前記スロットルレバーの出力制御操作を前記気化器のスロットルバルブへと伝達する。そして、前記保持構造１０により、前記アウターチューブの前記気化器側の端部３が、前記気化器と一体に配設された前記固定部としてのブラケット４に抜け落ち不能に保持される。
【００２０】
図２に示すように、前記ボーデンケーブル保持構造１０は、前記ブラケット４に取り付け可能な筒体５と、前記チューブ端部３の外周面に形成された周溝６と、前記筒体５と前記チューブ端部３を互いに結合させる解除操作自在なロック部材７を備えている。
【００２１】
前記筒体５を前記ブラケット４に取り付けるための手段として、前記筒体５は、外周面にねじ溝８を有する。このねじ溝８は、前記ブラケット４に形成されたねじ孔９にねじ結合する。ねじ結合状態で前記筒体５を回動操作することで、前記ブラケット４上における前記筒体５の進退位置を細かく確実に調整できる。前記筒体５は、金属製又はプラスチック製とすることができる。前記ブラケット４も同様である。
【００２２】
なお、前記筒体５は、固定部に対して取り付け金具等を用いて固定することもできる。
【００２３】
前記筒体５は、一端部側に、前記チューブ端部３を挿入可能なチューブ挿入孔１１を有する。該チューブ挿入孔１１の径は、前記チューブ端部３の径よりごく僅かだけ大きく形成する。また、前記筒体５は、他端部側に、前記ボーデンケーブル１のインナーワイヤ１２を挿通可能なワイヤ挿通孔１３を有する。前記チューブ挿入孔１１と前記ワイヤ挿通孔１３は、前記筒体５の全長に渡って互いに同心に連通している。前記チューブ挿入孔１１は前記ワイヤ挿通孔１３より大径である。その結果、これらの孔１１，１３の境界には、段部１４が形成される。この段部１４は、前記チューブ端部３の端面３ａを受け止めて、前記チューブ端部３の前記筒体５内への挿入量を所定量に規制する。前記インナーワイヤ１２は、前記ワイヤ挿通孔１３を通して外部へと引き出され、先端のエンド金具１５が前記スロットルバルブへと作動上連結される。
【００２４】
本実施の形態では、前記アウターチューブ２は、可撓性チューブ１６と、該可撓性チューブ１６に接続されて前記チューブ端部３を構成する金属製等の剛性チューブ１７を備えたものとされている。そして、該剛性チューブ１７の外周面の所定の位置に、前記周溝６が形成されている。
【００２５】
図３に示すように、前記ロック部材７は、取り付け状態において、前記筒体５側から前記周溝６に係入して前記筒体５からの前記チューブ端部３の抜け出しを阻止する。前記ロック部材７の一部１８は、取り付け状態において前記筒体５の外部に露出しており、前記一部１８を作業者が外側から操作することで、前記ロック部材７を前記周溝６から離脱させることができる。これにより、前記筒体５から前記チューブ端部３を抜き取ることができる。
【００２６】
本実施の形態では、前記ロック部材としてスプリングクリップ７を採用している。該スプリングクリップ７は、相互間に間隔を開けて配置された一対の爪部１９，１９と、該一対の爪部１９，１９を互いに連結する弾性湾曲部２０を有する。前記スプリングクリップ７は、ばね鋼の線材をリング状に加工し、その両端部を内方へと折り曲げることにより形成することができる。
【００２７】
前記筒体５には、前記チューブ挿入孔１１の外側となる位置に、前記スプリングクリップ７を受け入れ可能なスリット２１が設けられる。該スリット２１は、前記チューブ挿入孔１１へと連通している。図示例では、図３で見て前記筒体５の断面の下半分まで該筒体５を切り欠いて、前記スリット２１とされている。
【００２８】
図２に示すように、前記チューブ挿入孔１１内における前記スリット２１から前記段部１４までの距離Ｄは、前記チューブ端部３における前記周溝６から前記端面３ａまでの距離と同じに設定されている。このため、前記チューブ端部３を前記段部１４に当接するまで前記チューブ挿入孔１１へと挿入すると、前記スリット２１と前記周溝６の位置が合う。
【００２９】
前記筒体５に前記チューブ端部３を挿入した後、前記スプリングクリップ７は、前記弾性湾曲部２０の弾性を利用して前記一対の爪部１９，１９を相互離間方向へと広げ、該一対の爪部１９，１９が前記スリット２１内に入り込むように、前記筒体５に取り付けられる。その結果、図３に示すように、前記スプリングクリップ７の弾性復元性により、前記一対の爪部１９，１９が前記スリット２１を通過して前記周溝６に係合又は係入する。これにより、前記チューブ端部３が前記筒体５内に抜け出し不能に固定される。前記一対の爪部１９，１９は前記筒体５側から前記周溝６内に係入しているだけであるので、前記筒体５内での前記チューブ端部３の回動は許容される。
【００３０】
前記ブラケット４への前記チューブ端部３の取り付けの順序として、前記ブラケット４に前記筒体５を取り付け、その後、該筒体５に対して前記スプリングクリップ７で前記アウターチューブ１を連結しても良いし、他の取り付け順序として、前記筒体５と前記アウターチューブ３を前記スプリングピン７で予め互いに結合させ、その後、前記筒体５を前記ブラケット４に取り付けても良い。
【００３１】
図３に示すように、取り付け状態において、前記スプリングクリップ７の前記一部１８，１８は前記筒体５から露出している。このため、前記露出部１８，１８に作業者が指の爪を引っ掛ける等して前記一対の爪部１９，１９を相互離間方向へと開くようにすれば、該一対の爪部１９，１９が前記周溝６及び前記スリット２１から離脱し、前記筒体５から前記スプリングクリップ７を容易に外すことができる。これにより、必要に応じて前記チューブ端部３を前記筒体５から抜き取ることができる。
【００３２】
本実施の形態に係るボーデンケーブル保持構造１０によれば、前記筒体５に前記チューブ端部３を挿入して前記スプリングクリップ７でロックするだけでよいので、前記ブラケット４に対する前記アウターチューブ１の端部３の取り付けが容易に行える。また、取り付け状態において、前記スプリングクリップ７の前記一部１８が前記筒体５の外部に露出しており、前記一部１８を外側から操作して前記周溝６から離脱させれば、前記筒体５から前記アウターチューブ１が取り外せるので、取り外しも容易である。さらに、前記ブラケット４への前記筒体５のねじ結合量を調整することで、前記チューブ端部３からの前記インナーワイヤ１２の延び出し量も容易且つ確実に調整できる。前記筒体５と前記チューブ端部３は相対回動自在であるので、前記ブラケット４上で前記筒体５を回動操作しても、前記アウターチューブ２が捻れる等の問題はない。
【００３３】
図１及び図２に示すように、本実施の形態では、前記剛性チューブ１７が、前記チューブ挿入孔１１への非挿入部分に屈曲部２２を備えている。この屈曲部２２は、前記剛性チューブ１７を前記作業機の輪郭に沿うように配設するために設けられる。また、前記屈曲部２２を設けることで、前記剛性チューブ１７の前記可撓性チューブ１６側の部位に物が当たる等した場合に、前記筒体５内で前記剛性チューブ１７が回動して負荷が逃がされ易い。このため、前記剛性チューブ１７や前記筒体５、前記ブラケット４、及びそれらの相互連結部の破損が防止される等の利点もある。
【００３４】
本発明の他の実施の形態として、チューブ端部が、可撓性チューブと、該可撓性チューブの端部の外周に嵌挿される筒状金具を備え、前記周溝６が、前記筒状金具を前記可撓性チューブに固定するための加圧により形成された周溝である態様とすることもできる。この場合、前記周溝をわざわざ形成する手間が省けるので、製造も容易となり好適である。
【００３５】
また、前記ロック部材の他の例として、図４に示すような倒立Ｕ字状のスプリングクリップ２３を採用することもできる。この場合、前記筒体５に相当する筒体２４には、図４で見て左右一対のスリット２５，２５を設ける。前記スプリングクリップ２３の左右一対の腕部２６，２６のそれぞれが、前記左右一対のスリット２５，２５のそれぞれを通過して前記チューブ端部３の前記周溝６に係合する。この例でも、該スプリングクリップ２３の一部２７，２７が前記筒体２４の外部に露出しており、前記一部２７，２７を外側から指で操作することで、前記スプリングクリップ２３を前記周溝６から離脱させることができる
前記ロック部材のさらに他の例として、図５に示す構成を採用することもできる。この例では、前記筒体５に相当する筒体２８が、前記スリット２１に対応する要素としてねじ孔２９を備える。このねじ孔２９に結合するロックねじ３０が前記ロック部材となる。前記ねじ孔２９への結合状態において、前記ロックねじ３０のヘッド３１は、前記筒体２８の外部に露出している。前記ヘッド３１を操作して前記ロックねじ３０を締め方向へと回動させることで、ねじ先端部３２が前記周溝６に係入する。一方、前記ロックねじ３０を緩め方向へと回動操作することで、前記ねじ先端部３２が前記周溝６から離脱する。
【図面の簡単な説明】
【００３６】
【図１】本発明の実施の一形態に係るボーデンケーブル保持構造の側面図である。
【図２】図１の縦断面図である。
【図３】図１のＩＩ−ＩＩ矢視断面図である。
【図４】他の実施の形態を示す、図３に対応する断面図である。
【図５】さらに他の実施の形態を示す、図２に対応する縦断面図である。
【符号の説明】
【００３７】
１    ボーデンケーブル
２    アウターチューブ
３    端部（チューブ端部）
４    固定部（ブラケット）
５    筒体
６    周溝
７    ロック部材（スプリングクリップ）
１１  チューブ挿入孔
１６  可撓性チューブ
１７  剛性チューブ
１８  ロック部材の一部
２１  スリット
２２  屈曲部
２３  ロック部材（スプリングクリップ）
２４  筒体
２５  スリット
２７  ロック部材の一部
２８  筒体
３０  ロック部材（スプリングクリップ）
３１  ロック部材の一部
【図１】
2008223886.tif 000003
【図２】
2008223886.tif 000004
【図３】
2008223886.tif 000005
【図４】
2008223886.tif 000006
【図５】
2008223886.tif 000007